(57)【要約】      （修正有）【課題】ホッパ本体の反転動作を簡単に且つ安全に行える穀粒ホッパを提供する。【解決手段】ホッパ本体Ａの両側部を一対のスタンドＳ２から水平方向に延びる支軸にて軸支し、ホッパ本体Ａを反転可能とした穀粒ホッパにおいて、少なくとも一方のスタンドＳ２に駆動モータを設け、この駆動モータによりスタンドＳ２の支軸を回転駆動しホッパ本体を反転動作させることにより、ホッパの反転動作を作業者が手作業で行わなくてもよいので煩わしさがなく、反転駆動モータ５１の回転を停止させた位置でホッパ本体Ａは固定保持されるので、固定手段を設ける必要がなく安全に反転動作が行える。又、スタンドＳ２に備えた駆動モータ５１の出力軸を、ホッパ本体Ａを軸支する支軸の軸芯と一致させ配置したことにより、簡単な構成でホッパ本体Ａの反転動作を行うことができる。【選択図】      図４
2004244043.tif 000002
【特許請求の範囲】
【請求項１】
ホッパ本体の両側部を一対のスタンドから水平方向に延びる支軸にて軸支し、ホッパ本体を反転可能とした穀粒ホッパにおいて、少なくとも一方のスタンドに駆動モータを設け、この駆動モータによりスタンドの支軸を回転駆動しホッパ本体を反転動作させることを特徴とした穀粒ホッパ。
【請求項２】
スタンドに備えた駆動モータの出力軸を、ホッパ本体を軸支する支軸の軸芯と一致させ配置したことを特徴とした請求項１記載の穀粒ホッパ。
【発明の詳細な説明】
【０００１】
【産業上の利用分野】
本発明は、走行車の荷台に載置して穀物を搬送する穀粒ホッパの格納改善に関する。
【０００２】
【従来の技術】
従来の技術として、スタンドの支軸にて軸支されたホッパ本体を水平作業位置から支軸を中心に反転倒立させ、ピンを抜き差しする固定手段にて固定し、ホッパ本体格納時の側面巾寸法を縮小させる構成が本出願人により提案されている。（特許文献１）
【０００３】
【特許文献１】
特許第２９１９７８５号明細書
【０００４】
【発明が解決とようとする課題】
従来技術によれば、ホッパ本体は収獲された穀物を貯留し、搬送するための水平とした作業位置から格納時にホッパ本体の側面巾寸法を縮小させるためのスタンドの支軸にて軸支され、ホッパ本体を支軸を中心に作業者が手作業で反転倒立させ、固定手段であるピンを抜き差しして固定しなければならすず煩わしさがある。又、反転動作途中に手を離すとホッパ本体が自重で回転し作業者に倒れかかり怪我をする危険がある。
【０００５】
そこで本発明は、ホッパ本体の反転動作を簡単に且つ安全に行える穀粒ホッパを提供することを目的とする。
【０００６】
【課題を解決するための手段】
上記課題を解決するために、ホッパ本体の両側部を一対のスタンドから水平方向に延びる支軸にて軸支し、ホッパ本体を反転可能とした穀粒ホッパにおいて、少なくとも一方のスタンドに駆動モータを設け、この駆動モータによりスタンドの支軸を回転駆動しホッパ本体を反転動作させることにより、ホッパの反転動作を作業者が手作業で行わなくてもよいので煩わしさがなく、反転駆動モータの回転を停止させた位置でホッパ本体は固定保持されるので、固定手段を設ける必要がなく安全に反転動作が行える。
【０００７】
又、スタンドに備えた駆動モータの出力軸を、ホッパ本体を軸支する支軸の軸芯と一致させ配置することにより、駆動モータの出力軸とホッパ本体が直結されるため、簡単な構成でホッパ本体の反転動作を行うことができる。
【０００８】
【発明の実施の形態】
以下、本発明の実施の形態を図面に基づいて説明する。図１は本発明を実施した穀粒ホッパの平面図、図２は側面図、図３は後面図、図４は反転駆動部及び駆動伝達を示す平面断面図、図５は反転倒立時の側面図である。
【０００９】
図１から図３において、Ａはホッパ本体で、ホッパフレーム１とホッパフレーム１の上部に設けた延長パネル２から構成され上面が開口した箱状の容器体である。ホッパ本体Ａは走行車の荷台に載置可能とし、圃場で収獲された穀物を貯め、乾燥施設や貯蔵庫まで搬送し排出口３より穀物を排出するものである。
【００１０】
排出口３を設けた側面を後面ａとし、この後面ａに対向する側面を前面ｂ、そして前後面を結び長手となる側面を左側面ｃ及び右側面ｄとする。左側面ｃ及び右側面ｄにはそれぞれ一対のスタンドＳ１，Ｓ２を設けてある。
【００１１】
１のホッパフレームは、パイプ体で構成した直方体の格子状枠１１に後面視にて枠内下部から右側面ｃ及び左側面ｄの上方に向けＶ字状の底板１２，１２と、前面ｂ及び後面ａに設けた側板１３，１３により容器体を形成し構成される。このホッパーフレーム１の格子状枠１１上面には延長パネル２が垂設されホッパ本体Ａを構成する。この延長パネル２は上方に延びる寸法を変えることによりホッパ本体Ａの容量を増すことができる。
【００１２】
底板１２，１２により形成されたＶ字状の底部頂点のホッパ内には、前後長手方向に両端を軸支され回転可能とした螺旋状の排出スクリュ１４が設けてある。この排出スクリュ１４の上方には開閉自在としたシャッタ１５が備えてありシャッタ１５を閉じた状態で穀物を貯め、開くことにより排出スクリュ１４へ穀物を落とし込む。
【００１３】
１６は排出駆動モータで、この排出駆動モータ１６から突設する駆動出力軸１６ａを前記排出スクリュ１４の軸方向と平行になるよう前記格子状枠１１内の底面に配置されている。
【００１４】
格子状枠１１の左側面ｃ及び右側面ｄにはそれぞれ長手方向略中央部に左右側面に対し直交する回動孔を有するボス１９，１９を設けてあり、スタンドＳ１，Ｓ２を着脱自在とする。
【００１５】
図４において、排出駆動を説明する。排出駆動モータ１６から突設する駆動出力軸１６ａの端部には駆動プーリ１７ａが設けてあり、前記排出スクリュ１４の前面ｂ側端部に設けた被駆動プーリ１７ｂへベルト１８が架設される。排出駆動モータ１６が回転駆動することにより、ベルト１８を介し排出スクリュ１４へ駆動伝達し、排出スクリュ１４が回転駆動されることによりホッパ内に貯められた穀物を排出口３へと送る。
【００１６】
又、図示されていないが排出口３には搬送ホースや搬送コンベアが連結され、排出口３より排出された穀物は乾燥施設や貯蔵庫へと搬送される。
【００１７】
一対のスタンドＳ１，Ｓ２はともに、水平方向前後に延びる水平支持パイプ４１と水平支持パイプ４１の両端にキャスタ４２，４２を設け、水平支持パイプ４１の略中央部より上方に向け垂設した垂直支持パイプ４３により逆Ｔ字形に形成されている。垂直支持パイプ４３はインナパイプ４３ａとアウタパイプ４３ｂが嵌合し、上部に備えたハンドル４４を正逆転させることにより、インナパイプ４３ａとアウタパイプ４３ｂが摺動し伸縮自在としてある。
【００１８】
スタンドＳ１のアウタパイプ４３ｂの上部側面からは、前記水平支持パイプ４１と直交する水平方向に向け支軸４５が突設し、前記ホッパ本体Ａの左側面ｃに設けたボス１９の回転孔に嵌挿されホッパ本体Ａを軸支する。支軸４５の先端部には支軸４５の軸方向に対し直交する貫通孔が開口し、この貫通孔に抜け止めピン４６が挿入され、軸支部を回転自在とするとともに嵌挿されたスタンドＳ１は抜けることがない。
【００１９】
一方のスタンドＳ２には、垂直支持パイプ４３を構成するアウタパイプ４３ｂの側面に設けられた支持台５２に反転駆動モータ５１を備えており、この反転駆動モータ５１から突設する駆動出力軸５１ａには、ホッパ本体Ａの右側面ｄに設けたボス１９の回動孔に嵌挿される回転支軸５３が同軸上に連結ピン５４にて連結される。
【００２０】
ボス１９には回動孔の軸方向に対し直交する連結孔が開口し、嵌挿される回転支軸５３の先端部には回転支軸５３の軸方向に対し直交する貫通孔が開口しており、前記連結孔と貫通孔を一致させストッパピン５５にて連結する。
【００２１】
反転駆動モータ５１は、支持台５２に設けられたスイッチボックスＢにて正逆転制御することが可能で反転駆動モータ５１を起動させ、連結される回転支軸５３を回転駆動することにより、回転支軸５３とストッパピン５４にて連結されたホッパ本体Ａは反転動作を開始し、図５に示すように反転倒立位置で反転駆動モータ５１を停止させることにより固定保持され格納状態となる。
【００２２】
本実施例では反転駆動モータを一方のスタンドＳ２に設けたが、もう一方のスタンドＳ１にも反転駆動モータを設け、２つの反転駆動モータで反転動作させることもある。
【００２３】
又，スタンドＳ１，Ｓ２にて軸支されたホッパ本体Ａは、スダンドＳ１，Ｓ２に備えたハンドル４４を正逆転させることにより上下動し、走行車の荷台に載置した状態から浮上させたり、載置したりすることができる。
【００２４】
【発明の効果】
以上のように構成することにより、ホッパの反転動作を作業者が手作業で行わなくてもよいので煩わしさがなく、反転駆動モータの回転を停止させた位置でホッパ本体は固定保持されるので、固定手段を設ける必要がなく安全に反転動作が行える。
【００２５】
又、駆動モータの出力軸とホッパ本体が直結され直接支軸を回転駆動し、連結するホッパ本体を反転動作させることが可能となるので、簡単な構成でホッパ本体の反転動作を行うことができる。
【図面の簡単な説明】
【図１】穀粒ホッパの平面図
【図２】側面図
【図３】後面図
【図４】反転駆動部及び駆動伝達を示す平面断面図
【図５】反転倒立時の側面図本発明を実施した除雪機の側面図
【符号の説明】
１      ホッパフレーム
１１    格子状枠
１２    底板
１３    側板
１４    排出スクリュ
１５    シャッタ
１６    排出駆動モータ
１６ａ  駆動出力軸
１７ａ  駆動プーリ
１７ｂ  被駆動プーリ
１８    ベルト
１９    ボス
２      延長パネル
３      排出口
４１    水平支持パイプ
４２    キャスタ
４３    垂直支持パイプ
４３ａ  インナパイプ
４３ｂ  アウタパイプ
４４    ハンドル
４５    支軸
４６    抜け止めピン
５１    反転駆動モータ
５１ａ  駆動出力軸
５２    支持台
５３    回転支軸
５４    連結ピン
５５    ストッパピン
Ａ      ホッパ本体
Ｂ      スイッチボックス
Ｓ１，Ｓ２    スタンド
【図１】
2004244043.tif 000003
【図２】
2004244043.tif 000004
【図３】
2004244043.tif 000005
【図４】
2004244043.tif 000006
【図５】
2004244043.tif 000007